(57)【要約】【課題】  ステッキの使用中、一時的に両手を離しても転倒を防ぐ補助具である。また既存のステッキにも利用可能にできるものとする。【解決手段】  ステッキ支持棒の下部に着脱可能にする取付部を取り付ける。その取付部に脚片を設けて、脚片が底面に接触した状態で足で踏むことで、容易にステッキの転倒を防ぐようにするものである。【選択図】        図１
2006239378.tif 000002
【特許請求の範囲】
【請求項１】
ステッキ支持棒の下部に着脱可能に取付部を取り付る、前記取付部に脚片を設けたことを特徴とするステッキ転倒防止具。
【請求項２】
ステッキ下部に取付けた取付部に、固定側と可動側に分離して、それぞれを蝶着して形成する脚片を取付ける。ステッキを直立するとき可動側を開き、歩行時には閉じて折畳んだ状態にするように設けたことを特徴とするステッキ転倒防止具。
【請求項３】
取付部にすべり軸を設け、このすべり軸に脚片とバネを設けることで、昇降可能にしたことを特徴とする請求項１、２記載のステッキ転倒防止具。
【請求項４】
開閉できるように形成した脚片において、折畳むように閉じたとき支持棒側に磁石を設けて、吸着できるようにしたことを特徴とする請求項２記載のステッキ転倒防止具。
【発明の詳細な説明】
【技術分野】
【０００１】  本発明は、ステッキの利用においてステッキの転倒を防ぐ補助具に関する。
【背景技術】
【０００２】  従来、一般のステッキにおいて手を離さなくればならないとき、倒れてしまうことが多く、障害者、高齢者にとっては困った問題であった。これらの問題を解決するため様々なステッキに関するものがある。【０００３】  自立可能な杖として石突き部分が高比重の鉛にして、接地面を広げた発明がある。
（例えば特許文献１参照）
また、ステッキの把持部上に操作手段が設けて、支持棒内に連動機能を構成した昇降軸と石突き部より上下する脚片を形成した自立可能なステッキがある。（例えば特許文献２参照）【０００４】
【特許文献１】  特開２００１−２８６３１５号公報
【特許文献２】  特開２００４−２５４７１４号公報
【発明の開示】
【発明が解決しようとする課題】
【０００５】  しかしながら、従来のステッキの転倒防止容器具に下記のような問題がある。
特許文献１、特許文献２においては、一般のステッキと比べて全体が重く障害者には利用しずらく、長期の利用によっては高さをやや低めに調整したいときにおいてもできにくいものである。また製品としては高価なものである。
さらに特許文献１においては、地面等が凸凹していたり、傾斜をしていると自立しずらく使い勝手が悪く不便である。【０００６】  そこで本発明は、上記の課題を鑑み、製品単価を安く提供して、従来から利用しているステッキにも利用できるものである。さらに軽量で、どのような所でも使いやすくするものである。
【課題を解決するための手段】
【０００７】  上記の課題を解決するため、本発明はステッキ支持棒の下部位置に着脱可能な取付部を取付、前記取付部の側面に支持棒を支えるように脚片を底面に接するように設ける。したがって、必要におおじて前記脚片を足で踏むことで、ステッキから両手を離しても直立して転倒防止できることを特徴とする。【０００８】  また、取付部と脚片、あるいは脚片を固定と可動に分離、その接合部に軸を取付、その軸にトーションバネを取付、バネの作用によって折り畳むことができるように設ける。よってステッキから手を離すとき片方の足で前記脚片の先端を下方向へ倒しながら、地面に接したとき前記脚片を踏むことでステッキ本体を直立し転倒防止することを特徴とする。【０００９】  また、取付部を下部よりやや上に設けて、前記取付部の側面にすべり軸を設けて、そのすべり軸に脚片を昇降可能に取り付けて、すべり軸の下端と前記脚片の間にコイル状のバネ、あるいは弾力性の材質を設ける。したがって、前記脚片を踏むと降下して地面に接したときステッキ本体が直立して転倒防止することを特徴とする。【００１０】  また、折り畳み式脚片において固定側の脚片、あるいは取付部に磁石を設ける。一方可動式の脚片は磁石の吸着できる金属で形成して、可動脚片を支持棒側に折り畳むと磁石に吸着することで、歩行時の振動に対しても安定した状態で維持できることを特徴とする。
【発明の効果】
【００１１】  本発明は、以上説明したように構成されているので、以下に記載されているような効果を奏する。【００１２】  請求項１記載の発明によれば、ステッキ支持棒に設けた脚片を踏むことで、前記脚片は床、地面等に固定されてステッキ本体は直立して倒れないことから両手を離して様々なことができる。
また、製品も安く提供することができるとともに、取付部を取り外して他のステッキにも利用ができることで経済性にも優れているものである。【００１３】  請求項２記載の発明によれば、歩行においては脚片が折り畳むことで、足下の邪魔にならず、衣服などに引っ掛かりを防ぐことができる。また、見た目においてもよいものである。【００１４】  請求項３記載の発明によれば、ステッキにおいて、様々な石突きの形状があるため取付部が石突き部分より、やや上の部分に取付けることで様々なステッキに利用することができるものである。
また、石突き部分より上に設けられていることから床、地面の障害物などにもぶつかることも少なく歩行しやすいものである。【００１５】  請求項４記載によれば、折り畳んだ脚片が支持棒側に接すると磁石に吸着することで容易に納めることができる。また、脚片を磁石部分より外すことも容易にできることから大変扱いやすいものである。
【発明を実施するための最良の形態】
【００１６】  本発明の実施の形態について図面を参照して説明する。
図１、図２を参照して、本発明の第一実施例を説明する。ステッキ１支持棒２の下部に取付部５を取り付ける。前記取付部５はＡ側５ＡとＢ側５Ｂを蝶番３状によて蝶着であることから広げながら前記支持棒５に入れて、取付部止めネジ８を締め付けて止める。また前記脚片６を前記取付部５に脚片止めネジ７によって取り付ける。このとき脚片６が石突き１４の底面が一致するように前記取付部５を調整しながら取付部止めネジを締める。
なお、ステッキ１の支持棒２の太さが異なるときは、前記取付部５のみを変えることで取付が可能である。
よってステッキ１利用するとき、ステッキ１より手を離すとき片方の足で前記脚片６を踏むことで、ステッキ１の転倒を防ぐことができるものである。【００１７】  また、図３、図４を参照して、本発明の第二実施例を説明する。ステッキ１支持棒２の下部に取付部５を取付、前記取付部５に取り付ける脚片６は、一方を取付部５に固定し、もう一方が可動できるように蝶着することで脚片Ａ６Ａと脚片Ｂ６Ｂに分ける。前記脚片Ａ６Ａ、Ｂ６Ｂの接続部の軸４に閉じる作用のトーションバネを設けて、トーションバネの両端をそれぞれの前記脚片Ａ６Ａ、Ｂ６Ｂに接続することで前記脚片Ａ６Ａ、Ｂ６Ｂがトーションバネの作用によって閉じて折り畳みできるように設ける。
また、前記脚片Ａ６Ａの後方にロック機構ａ９ａ、前記脚片Ｂ６Ｂの後方にロック機構ｂ６ｂを設ける。ロック機構はロック機構ａ９ａがロック機構ｂ９ｂ噛む、または角度によって外れるように形成する。
前記脚片Ｂ６Ｂに力を加えることによって、前記脚片Ａ６Ａ、Ｂ６Ｂとの角度が約９０°が開くと前記脚片Ａ６Ａのロック機構９ａと前記脚片Ｂ６Ｂのロック機構９ｂがかみ合うことで、開いた状態を維持するものである。
よって、ステッキ１を直立するとき片方の足の爪先で前記脚片Ｂ６Ｂの先端を掛けて下方向に下げて床、地面に接するとロック機構ａ９ａ、ｂ９ｂがはたらくことで、その状態を維持するものである。また前記脚片Ｂ９ｂを折畳むときは、ステッキ１を前記脚片Ａ６Ａ、Ｂ６Ｂの方向にやや傾けることでロック機構ａ９ａがｂ９ｂが解除することで、軸４に設けられたトーションバネの作用によって前記脚片Ｂ６Ｂは前記脚片Ａ６Ａに方向に閉じて、折畳められるものである。【００１８】  また、図５、図６を参照して、本発明の第三実施例を説明する。取付部５の側面にすべり軸１１を設け、前記すべり軸１１の上部に図１、図２に示した形式の脚片６を昇降可能に取付、その下と前記すべり軸１１の下部の間にコイル状のバネ１０を装着する。また下部のところに前記脚片６が外れないように脚片ガード１２を設ける。
よって、利用するとき前記脚片６の上に足を乗せて踏み付けることで降下して床、地面に接して、そのまま踏み続けることで前記ステッキ１は直立することから手を離しても倒れないものである。なお、爪先がバネ機構にひかからないことを防ぐように、すべりカバー１５を設ける。
また、図７を参照して、図３、図４に示した形式の折畳み式の脚片Ｃ６Ｃ、脚片Ｄ６Ｄを前記すべり軸１１の上部に昇降可能に取付、その下と前記すべり軸１１の下部の間にバネ１０を装着する。
よって、ステッキ１を直立させるとき、足の爪先で前記脚片Ｄ６Ｄの先端に掛けて下方向に力を加えることで前記脚片Ｄ６Ｄが開き、開角度が約９０度程になるとロック機構ｃ９ｃがロック機構ｄ９ｄを噛むことでに開いた状態を維持して、その状態で前記すべり軸１１を下降して床、地面に接すると、そのまま踏むことでステッキ１は倒れず、手を離すことができるものである。
また、前記脚片Ｄ６Ｄを折畳むとき、ステッキ１を前記脚片Ｄ６Ｄ側にやや傾けることでロック機構ｃ９ｃがロック機構ｄ９ｄより外れて、折畳みながら上昇して収まるものである。
なお、コイル状のバネ１０のかわりに弾力性のゴムやスポンジを装着することも可能である。【００１９】  また、図８を参照して、前記脚片６Ａの上部に磁石１６を装着する。一方の前記脚片６Ｂは磁石に吸着する金属で形成するか、前記脚片６ＢのＸ点付近に吸着用の金属を装着することで、歩行時には前記脚片６Ｂは前記脚片６Ａに吸着することで、振動に対しても外れることなく安定した状態を保つものである。
【図面の簡単な説明】
【００２０】
【図１】  本発明の第一実施例を示す側面図である。
【図２】  本発明の第一実施例の取付部と脚片の拡大の斜視図である。
【図３】  本発明の第二実施例のステッキ下部における取付部、脚片を示す側面図である。
【図４】  本発明の第二実施例の脚片Ａ、Ｂの拡大を示す斜視図である。
【図５】  本発明の第三実施例の取付部と脚片の平面図である。
【図６】  図６の脚片を正面から見た図である。
【図７】  本発明の第三実施例で取付部に、折畳みできる脚片を昇降可能にした一体の側面図である。
【図８】  本発明の第四実施例の磁石を装着した取付部と折畳みできる脚片一体の側面図である。
【符号の説明】
【００２１】１はステッキ                                ２は支持棒
３は蝶番                                    ４は軸
５は取付部                                  ５Ａは取付部Ａ側
５Ｂは取付部Ｂ側                            ６、６１は脚片
６Ａ、６Ｂ、６Ｃ、６Ｄは折畳み脚片          ７は脚片止めネジ
８は取付部止めネジ                          ９ａ、９ｂ、９ｃ、９ｄはロック機構
１０はコイル状のバネ                        １１はすべり軸
１２は脚片ガード                            １３はグリップ
１４は石突き                                １５はすべりカバー
１６は磁石
【図１】
2006239378.tif 000003
【図２】
2006239378.tif 000004
【図３】
2006239378.tif 000005
【図４】
2006239378.tif 000006
【図５】
2006239378.tif 000007
【図６】
2006239378.tif 000008
【図７】
2006239378.tif 000009
【図８】
2006239378.tif 000010